(57)【要約】【課題】仮設足場を取り付けるための取付プレートに雪が積もらないようにする。【解決手段】鉄骨柱１に、その表面に略鉛直方向に延び、上部に切欠き部４１を有する取付プレート４０を取り付けておき、仮設足場１０に、略水平方向に突出するフックピン５１を設けておき、フックピン５１を取付プレート４０の切欠き部４１に嵌め込むことにより、仮設足場１０を鉄骨柱１に取り付ける。取付プレート４０が鉛直方向に延びるように取り付けられているため、仮設足場１０を撤去した後、鉄骨柱１の表面に取付プレート４０を残置しても、その上部に雪が積もることがない。【選択図】図２
2010180624.tif 000002
【特許請求の範囲】
【請求項１】
躯体に仮設設備を取り付ける取付構造であって、
前記躯体の表面に、略鉛直方向に延びるように取り付けられた、上部に切欠き部を有する取付プレートと、
前記仮設設備に略水平方向に延びるように立設されたフックピンと、を備え、
前記フックピンが前記取付プレートの切欠き部に嵌め込まれていることを特徴とする仮設設備の取付構造。
【請求項２】
請求項１記載の仮設設備の取付構造であって、
前記躯体は鉄骨造の柱梁架構であることを特徴とする仮設設備の取付構造。
【請求項３】
請求項１又は２記載の仮設設備の取付構造であって、
前記仮設設備は仮設足場であることを特徴とする仮設設備の取付構造。
【請求項４】
請求項１から３のうち何れか１項に記載の仮設設備の取付構造であって、
前記フックピンは前記仮設設備に鉛直方向に延びるように取り付けられた取付プレートに立設されており、
前記仮設設備及び躯体の取付プレートには孔が形成されており、
これら前記仮設設備及び躯体の取付プレートの孔を挿通する固定ピンを備えることを特徴とする仮設設備の取付構造。
【請求項５】
躯体に仮設設備を取り付ける方法であって、
前記躯体に、その表面に略鉛直方向に延び、上部に切欠き部を有する取付プレートを取り付けておき、
前記仮設設備に、略水平方向に突出するフックピンを設けておき、
前記フックピンを前記取付プレートの切欠き部に嵌め込むことにより、前記仮設設備を前記躯体に取り付けることを特徴とする仮設設備の取付方法。
【発明の詳細な説明】
【技術分野】
【０００１】
本発明は、仮設足場などの仮設設備を躯体に取り付ける取付構造及び取付方法に関する。
【背景技術】
【０００２】
従来より、鉄骨部材の建て方作業を行う際には、鉄骨部材に仮設足場を取り付け、この仮設足場上において溶接やボルト締めなどの作業を行う。このような仮設足場は、円形の孔が形成された取付プレートを、鉄骨部材に水平方向に延びるように取り付けておき、仮設足場に取り付けられた鉛直方向に延びる固定ピンを、取付プレートの孔に嵌め込むことにより鉄骨部材に取り付けていた。
【先行技術文献】
【非特許文献】
【０００３】
【非特許文献１】日綜産業株式会社  ホームページ、″コラムＲＴカタログ″、［online］、日綜産業株式会社、［平成20年12月25日検索］、インターネット〈URL：http://www.nisso-sangyo.co.jp/products/series04/upimg/200711061959101215772274.pdf〉
【発明の概要】
【発明が解決しようとする課題】
【０００４】
ところで、このような仮設足場を取り付けるための取付プレートは仮設足場の撤去後も、残置することが多い。しかし、例えば、超高層構造物において、取付プレートを残置してしまうと、取付プレート上に雪が積もり、この雪が夜間に凍結してしまい、凍結した雪の固まりが高所から落下する虞がある。
【０００５】
本発明は上記の問題に鑑みなされたものであり、その目的は、仮設足場を取り付けるための取付プレートに雪が積もらないようにすることである。
【課題を解決するための手段】
【０００６】
本発明の仮設設備の取付構造は、躯体に仮設設備を取り付ける取付構造であって、前記躯体の表面に、略鉛直方向に延びるように取り付けられた、上部に切欠き部を有する取付プレートと、前記仮設設備に略水平方向に延びるように立設されたフックピンと、を備え、前記フックピンが前記取付プレートの切欠き部に嵌め込まれていることを特徴とする。
【０００７】
上記の取付構造において、前記躯体は鉄骨造の柱梁架構であってもよく、また、前記仮設設備は仮設足場であってもよい。
また、前記フックピンは前記仮設設備に鉛直方向に延びるように取り付けられた取付プレートに立設されており、前記仮設設備及び躯体の取付プレートには孔が形成されており、これら前記仮設設備及び躯体の取付プレートの孔を挿通する固定ピンを備えてもよい。
【０００８】
また、本発明の仮設設備の取付方法は、躯体に仮設設備を取り付ける方法であって、前記躯体に、その表面に略鉛直方向に延び、上部に切欠き部を有する取付プレートを取り付けておき、前記仮設設備に、略水平方向に突出するフックピンを設けておき、前記フックピンを前記取付プレートの切欠き部に嵌め込むことにより、前記仮設設備を前記躯体に取り付けることを特徴とする。
【発明の効果】
【０００９】
本発明によれば、躯体に取り付けられる取付プレートが鉛直方向を向くように取り付けられているため、その上部に雪が積もるのを防止できる。
【図面の簡単な説明】
【００１０】
【図１】鋼管からなる鉄骨柱に取り付けられた仮設足場を示し、（Ａ）は平面図、（Ｂ）は側面図である。
【図２】仮設足場と鉄骨柱の接合部の拡大図である。
【図３Ａ】鉄骨柱に仮設足場を取り付ける様子を示す図（その１）である。
【図３Ｂ】鉄骨柱に仮設足場を取り付ける様子を示す図（その２）である。
【発明を実施するための形態】
【００１１】
以下、本発明の一実施形態を図面を参照しながら詳細に説明する。
図１は、鋼管からなる鉄骨柱１に取り付けられた仮設足場１０を示し、（Ａ）は平面図、（Ｂ）は側面図である。また、図２は、仮設足場１０と鉄骨柱１の接合部の拡大図である。
図１に示すように、本実施形態の仮設足場１０は、鉄骨柱１に取り付けられるブラケットアーム２０と、ブラケットアーム２０上に固定されたベースフレーム３０と、を備え、ベースフレーム３０上に足場１００が構築されてなる。なお、図１において、ブラケットアーム２０は破線で示している。
【００１２】
ブラケットアーム２０は、両端が鉄骨柱１の両側に位置するように配置される平面視略Ｃ型の鋼材からなる中央部２４に、外側に向かって鋼材２２が接続されてなる。中央部２４を構成する鋼材２１の端部には、面内方向が鉛直方向となるように第１の取付プレート５０が接続されている。第１の取付プレート５０には、フックピン５１が水平方向に延びるように立設されている。また、上側の鋼材２１に取り付けられた第１の取付プレート５０Ａには、円形の孔５２が形成されている。また、下側の鋼材２１にはシャックル６０が取り付けられ、シャックルにはワイヤー６１が取り付けられている。
【００１３】
ベースフレーム３０は、Ｌ字型に組まれた一対の格子状の鋼材３１からなる。これら一対の鋼材３１は、柱１を挟んで対向する位置に配置され、ブラケットアーム２０の周囲に突出する鋼材２２上に固定されている。ベースフレーム３０から上方に延びるように支持部材１０３が立設され、この支持部材１０３に足場板１０１や手摺１０２が取り付けられることにより、足場１００は構成されている。
【００１４】
鉄骨柱１の表面にはその表面が鉛直方向に向くように第２の取付プレート４０が上下２段に取り付けられている。第２の取付プレート４０は、上部に切欠き部４１が形成されている。上方の第２の取付プレート４０Ａには、切欠き部４１に仮設足場１０の第１の取付プレート５０のフックピン５１を嵌め込んだ状態において、第１の取付プレート５０に形成された孔５２に相当する位置に孔４２が形成されている。また、上方の第２の取付プレート４０Ａの下部にはシャックル４３が取り付けられている。
【００１５】
図３Ａ及び図３Ｂは、鉄骨柱１に仮設足場１０を取り付ける様子を示す図である。鉄骨柱１に仮設足場１０を設置する場合には、図３Ａに示すように、クレーン等の揚重装置により、仮設足場１０を揚重し、第１の取付プレート５０のフックピン５１が、鉄骨柱１に取り付けられた第２の取付プレート４０の切欠き部４１に嵌め込まれるように建て込み、図３Ｂに示すように、第１の取付プレート５０及び第２の取付プレート４０の孔５２、４２を挿通するように固定ピン６２を取り付ける。そして、第２の取付プレート４０のシャックル４３に、ブラケットアーム２０に取り付けられたシャックル６０に接続されたワイヤー６１の端部を接続する。これにより、仮設足場１０を鉄骨柱１に固定することができるとともに、万が一、第１の取付プレート５０のフックピン５１が第２の取付プレート４０の切欠き部４１から外れてしまった場合であっても、ワイヤ６１により仮設足場１０の落下が防止される。
【００１６】
仮設足場１０を用いて鉄骨柱１や鉄骨梁の建て込み作業を行う場合には、まず、既に建て込まれている鉄骨柱１に上記のようにして仮設足場１０を取り付ける。そして、新たに鉄骨柱１や鉄骨梁を建て込み、仮設足場上で建て込んだ鉄骨柱や鉄骨梁を接合するための溶接やボルト締め作業を行う。そして、仮設足場１０上での作業が完了した後、第１の取付プレート５０と第２の取付プレート４０の孔５２、４２を挿通する固定ピン６２を取り外し、仮設足場１０をクレーン等により上方に揚重して、仮設足場１０を取り外す。
【００１７】
仮設足場１０を撤去した後、鉄骨柱１には第１の取付プレート５０が残置されることとなる。ここで、第１の取付プレート５０はその表面が鉛直方向を向くように鉄骨柱１に取り付けられている。このため、第１の取付プレート５０の上部に雪が積もることはない。
【００１８】
以上説明したように、本実施形態によれば、第１の取付プレート５０が、鉛直方向に延びるように取り付けられているため、第１の取付プレート５０の上部に雪が積もることを防止できる。これにより、凍結した雪が落下することを防止し、安全性を向上することができる。
【００１９】
なお、本実施形態では、鉄骨柱１に仮設足場１０を固定する場合について説明したが、これに限らず、鉄骨梁に仮設足場を固定する場合であっても本発明を適用できる。かかる場合には、鉄骨梁に鉛直方向に延びるように第１の取付プレートを取り付ければよい。
【００２０】
また、本実施形態では、鉄骨造の柱梁架構を構築する際に、仮設足場１０を固定する場合について説明したが、これに限らず、鉄筋コンクリート造の躯体の外周面に、作業を行うための仮設足場１０を取り付ける場合などにも適用することができ、要するに躯体に仮設足場を取り付ける場合であれば本発明を適用することができる。
【００２１】
また、本実施形態では、仮設足場を取り付ける場合について説明したが、これに限らず、仮設階段などの仮設設備を躯体に取り付ける場合であれば、本発明を適用できる。
【符号の説明】
【００２２】
１  鉄骨柱                              １０  仮設柱
２０  ブラケットアーム                  ２１、２２  鋼材
２４  中央部                            ３０  ベースフレーム
３１  鋼材                              ４０  第２の取付プレート
４１  切欠き部                          ４２  孔
４３  シャックル                        ５０  第１の取付プレート
５１  フックピン                        ５２  孔
６０  シャックル                        ６１  ワイヤー
６２  固定ピン                          １００  足場
【図１】
2010180624.tif 000003
【図２】
2010180624.tif 000004
【図３Ａ】
2010180624.tif 000005
【図３Ｂ】
2010180624.tif 000006